(57)【要約】【課題】  室内のコーナに取り付けられ、しかも装置本体の側面が見えることのない換気装置と、この換気装置を備えた換気システムを提供する。【解決手段】  本体１１を室内のコーナに取り付ける換気装置であって、前記コーナの一方の壁２Ａに取り付ける第１取付壁部１２と、そのコーナの他方の壁２Ｂに取り付ける第２取付壁部１３とを本体１１に設け、コーナと反対側の第１取付壁部１２の端部と、コーナと反対側の第２取付壁部１３の端部とを結ぶ面にフロントパネル１４を設けた。【選択図】  図２
2006132833.tif 000002
【特許請求の範囲】
【請求項１】
本体を室内のコーナに取り付ける換気装置であって、
前記コーナの一方の壁に取り付ける第１取付壁部と、そのコーナの他方の壁に取り付ける第２取付壁部とを前記本体に設け、
コーナと反対側の第１取付壁部の端部と、コーナと反対側の第２取付壁部の端部とを結ぶ面にフロントパネルを設けたことを特徴とする換気装置。
【請求項２】
前記一方の壁に形成された給気口に連通する第１導入穴を第１取付壁部に設け、
前記第２取付壁部に第２導入穴を設け、
換気ファンによって前記給気口および第１導入穴を介して本体内に吸い込まれる外気を清浄するフィルタを前記本体に着脱可能に取り付け、
第２導入穴を塞ぐ閉塞板を前記本体に着脱可能に取り付け、
前記フィルタと閉塞板とを入れ換えて取り付けられるようにしたことを特徴とする請求項１に記載の換気装置。
【請求項３】
前記一方の壁に形成された給気口および第１取付壁部に設けた第１導入穴を介して前記本体内へ吸い込んだ外気と、本体に設けた吸込口から吸い込んだ室内の空気とを混合して前記フロントパネルの吹出口を介して室内へ給気することを特徴とする請求項１または請求項２に記載の換気装置。
【請求項４】
前記一方の壁に設けた給気口を介して本体内へ換気ファンによって吸い込んだ外気と、前記本体に設けた吸込口から別な換気ファンによって吸い込んだ室内の空気とが交差する位置に熱交換素子を配置し、
前記外気を熱交換素子を通した後にフロントパネルの吹出口から室内へ給気し、
前記室内の空気を熱交換素子を通した後に、他方の壁に設けた排気口から室外へ排気することを特徴とする請求項１に記載の換気装置。
【請求項５】
請求項１ないし請求項４のいずれか１つに記載の換気装置を備え、所定の換気量を満たすように連続的または断続的に常時換気を行うことを特徴とする換気システム。
【請求項６】
請求項１ないし請求項４のいずれか１つに記載の換気装置または請求項５に記載の換気システムを備えたことを特徴とする住宅構造。
【発明の詳細な説明】
【技術分野】
【０００１】
この発明は、装置本体を室内のコーナに取り付ける換気装置と、この換気装置を備えている換気システムと、その換気装置または換気システムを備えた住宅構造とに関する。
【背景技術】
【０００２】
従来から、換気ファンを装置本体に内蔵した換気装置が知られている（特許文献１参照）。
【０００３】
かかる換気装置は、装置本体内に設けた換気ファンを有し、この換気ファンの回転によって壁に設けた換気穴から外気を吸い込むとともに、装置本体の吸込口から室内の空気を吸い込み、この吸い込んだ外気と室内の空気とが混合されて吹出口から室内へ吹き出すようになっている。
【特許文献１】特開２０００−２７４７５８号公報
【発明の開示】
【発明が解決しようとする課題】
【０００４】
ところで、このような換気装置は、室内のコーナに取り付けられる構成になっておらず、また、左右方向に対して壁の中間位置に取り付けるため、装置本体の側面が見えてしまい、見栄えが悪いという問題があった。
【０００５】
この発明の目的は、室内のコーナに取り付けられ、しかも装置本体の側面が見えることのない換気装置と、この換気装置を備えた換気システムと、その換気装置または換気システムを備えた住宅構造とを提供することにある。
【課題を解決するための手段】
【０００６】
請求項１の発明は、本体を室内のコーナに取り付ける換気装置であって、
前記コーナの一方の壁に取り付ける第１取付壁部と、そのコーナの他方の壁に取り付ける第２取付壁部とを前記本体に設け、
コーナと反対側の第１取付壁部の端部と、コーナと反対側の第２取付壁部の端部とを結ぶ面にフロントパネルを設けたことを特徴とする。
【０００７】
請求項２の発明は、前記一方の壁に形成された給気口に連通する第１導入穴を第１取付壁部に設け、
前記第２取付壁部に第２導入穴を設け、
換気ファンによって前記給気口および第１導入穴を介して本体内に吸い込まれる外気を清浄するフィルタを前記本体に着脱可能に取り付け、
第２導入穴を塞ぐ閉塞板を前記本体に着脱可能に取り付け、
前記フィルタと閉塞板とを入れ換えて取り付けられるようにしたことを特徴とする。
【０００８】
請求項３の発明は、前記一方の壁に形成された給気口および第１取付壁部に設けた第１導入穴を介して前記本体内へ吸い込んだ外気と、本体に設けた吸込口から吸い込んだ室内の空気とを混合して前記フロントパネルの吹出口を介して室内へ給気することを特徴とする。
【０００９】
請求項４の発明は、前記一方の壁に設けた給気口を介して本体内へ換気ファンによって吸い込んだ外気と、前記本体に設けた吸込口から別な換気ファンによって吸い込んだ室内の空気とが交差する位置に熱交換素子を配置し、
前記外気を熱交換素子を通した後にフロントパネルの吹出口から室内へ給気し、
前記室内の空気を熱交換素子を通した後に、他方の壁に設けた排気口から室外へ排気することを特徴とする。
【００１０】
請求項５の発明は、請求項１ないし請求項４のいずれか１つに記載の換気装置を備え、所定の換気量を満たすように連続的または断続的に常時換気を行う換気システムであることを特徴とする。
【００１１】
請求項６の発明は、請求項１ないし請求項４のいずれか１つに記載の換気装置または請求項５に記載の換気システムを備えた住宅構造であることを特徴とする。
【発明の効果】
【００１２】
この発明によれば、コーナの一方の壁に取り付ける第１取付壁と、そのコーナの他方の壁に取り付ける第２取付壁とを装置本体に設け、コーナと反対側の第１取付壁の端部と、コーナと反対側の第２取付壁の端部とを結ぶ面にフロントパネルを設けたものであるから、室内のコーナに取り付けられることができ、しかも装置本体の側面が見えてしまうこともない。
【発明を実施するための最良の形態】
【００１３】
以下、この発明に係わる換気装置と換気システムと住宅構造の実施例を図面に基づいて説明する。
【実施例】
【００１４】
［第１実施例］
図１はこの発明に係わる換気システム１を備えた住宅構造を示す。この換気システム１は、和室２のコーナに設けた換気装置１０と、リビング３のコーナに設けた換気装置３０と、キッチン４に設けたレンジフードファン４０と、洗面所５に設けた換気ファン５０と、浴室６に設けた換気ファン５１と、トイレ７に設けた換気ファン５２等とを備えている。
［換気装置１０］
換気装置１０は、図２および図３に示すように、平面視がほぼ扇状を呈した筺体（本体）１１と、この筺体１１内に設けた遠心ファン２０およびフィルタ２１と、遠心ファン２０を回転させるモータＭ等とを備えている。モータＭは図示しないコントローラによって回転数が制御されるようになっている。
【００１５】
筺体１１は、和室２の一方の壁２Ａに取り付ける第１取付壁部１２と、他方の壁２Ｂに取り付ける第２取付壁部１３と、コーナと反対側の第１取付壁部１２の端部とコーナと反対側の第２取付壁部１３の端部とを結ぶほぼ円弧状のフロントパネル１４とを有している。
【００１６】
第１取付壁部１２には開口（第１導入穴）１２Ａが形成され、この開口１２Ａにダクトジョイント１５が取り付けられている。ダクトジョイント１５は和室２の壁２Ａに設けた給気口２ａ内に挿入され、シール部材１６によって連通管部１５の外周面と給気口２ａの内周面との間がシールされている。そして、給気口２ａはダクトジョイント１５を介して筺体１１内に連通している。ここでは、第１取付壁部１２の開口１２Ａにダクトジョイント１５を取り付けているが、その開口１２Ａを壁２Ａの給気口２ａに直接連通させてもよい。
【００１７】
ダクトジョイント１５と遠心ファン２０との間にはフィルタ２１が配設され、フィルタ２１の一端には蓋部材２２が設けられており、この蓋部材２２がフロントパネル１４に設けた開口１４Ａを閉塞している。そして、蓋部材２２とともにフィルタ２１が開口１４Ａから取り外せるようになっている。
【００１８】
第２取付壁部１３には開口（第２導入穴）１３Ａが形成され、この開口１３Ａと筺体１１内は閉塞板２４によって仕切られており、開口１３Ａと筺体１１内は非連通状態となっている。すなわち、開口１３Ａが閉塞板２４によって閉塞されたのと同じ状態となっている。
【００１９】
閉塞板２４の一端には蓋部材２５が設けられており、この蓋部材２５がフロントパネル１４に設けた開口１４Ｂを閉塞している。そして、蓋部材２５とともに閉塞板２４が開口１４Ｂから取り外せるようになっており、この閉塞板２４とフィルタ２１とを入れ換えて開口１４Ａ,１４Ｂにそれぞれ装着できるようになっている。
【００２０】
すなわち、壁２Ｂに給気口２ｂが形成され、壁２Ａに給気口２ａが形成されていない場合、フロントパネル１４の開口１４Ｂにフィルタ２１を挿入して装着し、フロントパネル１４の開口１４Ａに閉塞板２４を挿入して装着する。この場合、連通管部１５を第２取付壁部１３の開口１３Ａに取り付ける。
【００２１】
このように、壁２Ａ,２Ｂのどちらに給気口２ａ,２ｂが形成されていても対処することができる。
【００２２】
遠心ファン２０は、図４の（Ａ）に示すように、筺体１１内に設けたファンケース２６内に回転自在に配置され、ファンケース２６の上面に吸込開口２６Ａが形成されている。そして、遠心ファン２０の回転により、吸込開口２６Ａから吸い込んだ空気をフロントパネル１４の吹出口１７から吹き出されるようになっている。
【００２３】
また、筺体１１の上壁部の中央部には吸込口１８が形成され、この吸込口１８に設けた支持部材１９にモータＭが支持されている。また、吸込口１８にはフィルタＦが装着されている。
【００２４】
そして、遠心ファン２０が回転すると、和室２の空気が図４の矢印Ｐ１で示すように筺体１１の吸込口１８からフィルタＦを介して吸い込まれ、さらにファンケース２６の吸込開口２６Ａへ吸い込まれていく。また、外気が矢印Ｐ２で示すように給気口２ａおよび連通管部１５を通ってフィルタ２１を介して筺体１１内に吸い込まれ、さらにファンケース２６の吸込開口２６Ａへ吸い込まれていく。そして、遠心ファン２０により外気と室内の空気とが混合されてフロントパネル１４の吹出口１７から吹き出して和室２へ給気されていく。
【００２５】
このように、外気と室内の空気とが混合されるので、フロントパネル１４に結露が生じてしまうことがない。また、部屋のコーナに取り付けるようにしたので、部屋のデッドスペースを有効利用することができ、しかも、筺体１１の第１,第２取付壁部１２,１３を和室２の壁２Ａ,２Ｂに取り付け、第１取付壁部１２の端部と第２取付壁部１３の端部とを円弧状のフロントパネル１４で接続したものであるから、筺体１１すなわち装置本体の側面が見えなくなり、換気装置１０の見栄えの向上を図ることができる。
【００２６】
図１に示す換気装置３０は、換気装置１０と同じ構成であり、換気装置３０のモータＭ（図示せず）も図示しないコントローラによって回転数が制御されるようになっている。
【００２７】
レンジフードファン４０および換気ファン５０〜５２は、図示しない排気ファンと、この排気ファンを回転させる図示しないモータ等とから構成されている。
［動  作］
次に、換気システム１の動作について説明する。
【００２８】
換気装置１０,３０の動作により、外気が和室２およびリビング３に給気され、換気ファン５０〜５２により洗面所５,浴室６,トイレ７の空気が外へ排気されていく。
【００２９】
洗面所５や浴室６やトイレ７は、ドアに設けたガラリやアンダカットを介して和室２やリビング３等の各部屋に連通しているので、これら部屋２,３等の空気の排気も行われる。また、和室２やリビング３に給気された外気は、ドアに設けたガラリやアンダカットを介して洗面所５や浴室６やトイレ７にも給気されていく。
【００３０】
そして、換気ファン５０〜５２による排気量と、換気装置１０,３０による給気量とが等しくなるように換気ファン５０〜５２のモータ（図示せず）や換気装置１０,３０のモータＭ,Ｍの回転数が設定されているので、通常の常時換気を行っている場合には、排気量と給気量との比率が一定となるようにバランスがとれており、各部屋２〜５や浴室６やトイレ７等は負圧になってしまうことがない。
【００３１】
そして、レンジフードファン４０が運転されると、キッチン４の空気が排気されて、レンジフードファン４０による排気量と換気ファン５０〜５２による排気量との総排気量が換気装置１０,３０による給気量よりも多くなってしまうので、換気装置１０,３０のモータＭ,Ｍの回転数を図示しないコントローラにより上昇させ、換気装置１０,３０による給気量が増加されて、総排気量と給気量との比率が一定にされるようにして、建物内が負圧となることによって戸が開きづらくなったりすることを防止するようにしてもよい。
【００３２】
第１実施例の換気システム１は、連続的または断続的に換気を行う常時換気を行っており、住宅全体で換気が必要なエリアの容積の所定（規定）換気量を満たすようになっている。所定換気量とは、換気回数として例えば０.５回／時間となっている。ただし、この換気回数は冬期等においては、例えば０.３回／時間の低風量となるようにスイッチ等の選択手段を設けて切り換えられるようにしてもよい。この所定（規定）換気量とは、給気量と排気量のうち少なくとも何れかが満たすようになっていればよい。
【００３３】
この第１実施例の換気システム１によれば、所定換気回数を常時満たしつつ、住宅内が負圧になってしまうのを防止することができる。
【００３４】
図４の（Ｂ）は、他の例の換気装置１０を示したものであり、この他の例の換気装置１０は、傾斜部３１５Ａを有するダクトジョイント３１５を設けることにより、給気口２ａ付近での外気と室内との間の温度差によって生じる結露を屋外へ排出するようにしたものであり、結露が室内側へ進入してしまうのを防止するようにしたものである。
［第２実施例］
図５は第２実施例の換気装置１００を示す。この換気装置１００は、筺体１１１と、この筺体１１１内に設けた遠心ファン１２０,１２１と、外気と室内の空気とが直交する位置に配置された熱交換素子１３０と、遠心ファン１２０,１２１を回転させる図示しないモータなどとを備えている。
【００３５】
筺体１１１の第１取付壁部１１２には、壁１０２Ａの給気口１０２ａに接続される接続口１１２Ａが形成され、第２取付壁部１１３には、壁１０２Ｂの排気口１０２ｂに接続される接続口１１３Ａが形成されている。また、フロントパネル１１４には、吹出口１１４Ａと吸込口１１４Ｂとが形成されている。
【００３６】
そして、遠心ファン１２０が配置された外気吸込室１４１が接続口１１２Ａを介して給気口１０２ａに連通している。また、遠心ファン１２１が配置された内気吸込室１４２と外気吸込室１４１とが仕切壁１３１によって仕切られており、吹出口１１４Ａを介して室内１０２と連通した吹出室１４３と内気吸込室１４２とが仕切壁１３２によって仕切られている。
【００３７】
また、吹出室１４３と排気室１４４とが仕切壁１３３によって仕切られており、排気室１４４と外気吸込室１４１とが仕切壁１３４によって仕切られている。
【００３８】
遠心ファン１２１が回転すると、壁１０２Ａの給気口１０２ａおよび接続口１１２Ａを介して外気が外気吸込室１４１へ吸い込まれていき、さらに熱交換素子１３０を通って吹出室１４３へ送風され、そして吹出口１１４Ａから吹き出して室内１０２へ給気されていく。
【００３９】
他方、遠心ファン１２１の回転により、室内１０２の空気が吸込口１１４Ｂを介して内気吸込室１４２へ吸い込まれ、さらに熱交換素子１３０を通り、ここで外気と熱交換を行って排気室１４４へ排気され、そして接続口１１３Ａおよび排気口１０２ｂを介して外へ排気されていく。
【００４０】
一方、吹出口１１４Ａから吹き出す外気は熱交換素子１３０によって室内の空気と熱交換を行っているので、外気は暖かくなっており、フロントパネル１１４に結露が生じてしまうことが防止される。
【００４１】
また、給気口１０２ａと排気口１０２ｂとが別の壁に設置され、離れているので排気口１０２ｂから排気された空気が給気口１０２ａへ吸い込まれてしまうショートサーキット現象を防ぐことができる。
【００４２】
この換気装置１００によれば、室内１０２の空気を排気するので効率よく換気を行うことができる。
【００４３】
また、図１に示す換気装置１０,３０の替わりに換気装置１００を使用して換気システムを構成してもよい。
［第３実施例］
図６は第３実施例の換気装置２００を示す。この換気装置２００は、壁２０２Ａ内に設けるとともに給気を行う給気ファン（パイプファン）２１０と、壁２０２Ｂ内に設けるとともに排気を行う排気ファン（パイプファン）２２０と、筺体（本体）２０１内に設けられるとともに外気と室内の空気とが直交する位置に配置された熱交換素子２３０等とから構成されている。
【００４４】
筺体２０１は、部屋２０３の壁２０２Ａに取り付ける第１取付壁部２０１Ａと、他方の壁２０２Ｂに取り付ける第２取付壁部２０１Ｂと、コーナと反対側の第１取付壁部２０１Ａの端部とコーナと反対側の第２取付壁部２０１Ｂの端部とを結ぶほぼ円弧状のフロントパネル２０４とを有している。また、第１取付壁部２０１Ａには開口２０５が形成され、第２取付壁部２０１Ｂには開口２０６が形成されている。
【００４５】
給気ファン２１０は、壁２０２Ａを貫通して設けたパイプ（給気口）２１１と、このパイプ２１１内に回転自在に配置したファン２１２と、パイプ２１１内に設けられるとともにファン２１２を回転させるモータＭ４等とから構成されている。パイプ２１１は第１取付壁部２０１Ａの開口２０５およびガイド管２１３を介して熱交換素子２３０の一側面に接続されている。
【００４６】
換気ファン２２０は、壁２０２Ｂを貫通して設けたパイプ（排気口）２２１と、パイプ２２１内に回転自在に配置したファン２２２と、パイプ２２１内に設けられるとともにファン２２２を回転させるモータＭ５等とから構成されている。パイプ２２１は第２取付壁部２０１Ｂの開口２０６を介して筺体２０１内の排気室２０７に連通し、排気室２０７と熱交換素子２３０の一側面とは非連通状態になっている。
【００４７】
フロントパネル２０４には吸込口２０４Ａと吹出口２０４Ｂとが設けられており、また、筺体２０１内には吸込室２０８と給気室２０９とが形成され、給気室２０９と排気室２０７とは仕切壁２０９Ｈによって仕切られており、給気室２０９と吸込室２０８とは非連通状態に仕切られている。
【００４８】
そして、ファン２１２が回転すると、外気がパイプ２１１内に吸い込まれ、この吸い込まれた外気が矢印Ｐ５で示すように第１取付壁部２０１Ａの開口２０５およびガイド管２１３を介して熱交換素子２３０を通り、さらに給気室２０９および吹出口２０４Ｂを介して部屋２０３へ吹き出して給気される。
【００４９】
他方、ファン２２２が回転すると、矢印Ｐ６で示すように部屋２０３の空気が吸込口２０４Ａを介して吸込室２０８へ吸い込まれ、さらに熱交換素子２３０を通って排気室２０７へ排気され、さらに第２取付壁部２０１Ｂの開口２０６およびパイプ２２１を通って外へ排気されていく。
【００５０】
この換気装置２００によれば、ファン２１２によって吸い込まれた外気は熱交換素子２３０によって部屋２０３の空気と熱交換されて部屋２０３へ給気されていくので、フロントパネル２０４には結露は生じない。また、外気の流れる方向と部屋の空気の流れる方向とが直交する位置に熱交換素子２３０を配置したものであるから、風路損を小さくすることができる。また、パイプ２１１,２２１内にファン２１２,２２２およびモータＭ４,Ｍ５を設けているので、筺体２０１である本体を小さくすることができる。
【００５１】
また、給気ファン２１０と排気ファン２２０とが別の壁に設置され、離れているので排気ファン２２０から排気された空気が給気ファン２１０へ吸い込まれてしまうショートサーキット現象を防止することができる。また、図１に示す換気装置１０,３０の替わりに換気装置２００を使用して換気システムを構成してもよい。
【図面の簡単な説明】
【００５２】
【図１】この発明に係る換気システムの構成を示した説明図である。
【図２】図１の換気システムに使用される換気装置の外観を示した斜視図である。
【図３】図２に示す換気装置の構成を示した平断面図である。
【図４】（Ａ）図２に示す換気装置の構成を示した横断面図であり、（Ｂ）他の例の換気装置の構成を示した説明図である。
【図５】第２実施例の換気装置の構成を示した平断面図である。
【図６】第３実施例の換気装置の構成を示した平断面図である。
【符号の説明】
【００５３】
１０              換気装置
１１              筺体（本体）
１２              第１取付壁部
１３              第２取付壁部
１４              フロントパネル
【図１】
2006132833.tif 000003
【図２】
2006132833.tif 000004
【図３】
2006132833.tif 000005
【図４】
2006132833.tif 000006
【図５】
2006132833.tif 000007
【図６】
2006132833.tif 000008